(57)【要約】【課題】  水を主溶媒とした水性系の床材施工用の接着剤を廃棄するに際して、固化させることができるエマルジョン型接着剤用固化剤を得る。【解決手段】  エマルジョン型接着剤成分中のエマルジョン成分の分散を阻害するコロイド粒子分散阻害剤と、吸液性を有する吸液剤とを備えてなり、コロイド粒子分散阻害剤と吸液剤とが無機系のもの。【選択図】      なし【特許請求の範囲】
【請求項１】
エマルジョン型接着剤成分中のエマルジョン成分の分散を阻害するコロイド粒子分散阻害剤と、吸液性を有する吸液剤とを備えたことを特徴とするエマルジョン型接着剤用固化剤。
【請求項２】
前記コロイド粒子分散阻害剤と吸液剤とが、無機系のものであることを特徴とする請求項１に記載のエマルジョン型接着剤用固化剤。
【請求項３】
前記コロイド粒子分散阻害剤が、硫酸アルミニウム、ポリ塩化アルミニウム、ポリ硫酸第二鉄を始めとする無機アルミ塩、及び／又は、塩化カルシウム、塩化マグネシウム、硫酸マグネシウムを始めとする多価金属塩であることを特徴とする請求項１又は２に記載のエマルジョン型接着剤用固化剤。
【請求項４】
前記吸液剤が、セピオライト、ゼオライト、アタパルジャイト、珪藻土、活性白土、ベントナイト、タルクを始めとする無機鉱物であることを特徴とする請求項１〜３の何れか１項に記載のエマルジョン型接着剤用固化剤。
【発明の詳細な説明】
【技術分野】
【０００１】
本発明は、不要となった床用接着剤等の水性エマルジョン型接着剤の残存物を固化して廃棄する場合に用いる固化剤に関するものである。
【背景技術】
【０００２】
内装施工を行う接着剤については、有機溶剤を主溶媒とする接着剤ではなく、水を主溶媒とする水性系の接着剤を用いることが主流となっている（例えば、特許文献１参照）。
【０００３】
また、床材施工用の接着剤としての床用接着剤は、大型のものは、プラスチック容器、内袋付の段ボール容器、金属容器等に入れた状態（荷姿）で製品出荷している。また、多くの内装工事業者は、新築やリフォームの際に、床用接着剤を使用した後に、工事現場に設置された廃材ラックにこの容器を廃棄していた。しかしながら、近年では、廃材ラックに廃棄される廃材についても、厳密な分別が求められるようになった。
【先行技術文献】
【特許文献】
【０００４】
【特許文献１】特開２０１１−２４６５１０号公報
【発明の概要】
【発明が解決しようとする課題】
【０００５】
もし、容器内に水性系の接着剤が残存したまま廃材ラックに廃棄された場合には、廃材ラックから水性系の接着剤が流出して、設置場所等を汚す弊害が充分に考えられる。また、容器から水性系の接着剤を掻き出すには大きな手間が必要となり、掻き出した接着剤の廃棄自体が難しい。更に、容器を水洗いした場合でも、廃液が出るため、これを一般的な排水とすることができない状況もあった。
【０００６】
本発明は、水を主溶媒とした水性系の床材施工用の接着剤を廃棄するに際して、固化させることができるエマルジョン型接着剤用固化剤を得ることを目的とする。
【課題を解決するための手段】
【０００７】
請求項１に記載された発明に係るエマルジョン型接着剤用固化剤は、エマルジョン型接着剤成分中のエマルジョン成分の分散を阻害するコロイド粒子分散阻害剤と、吸液性を有する吸液剤とを備えたことを特徴とするものである。
【０００８】
請求項２に記載された発明に係るエマルジョン型接着剤用固化剤は、請求項１に記載のコロイド粒子分散阻害剤と吸液剤とが、無機系のものであることを特徴とするものである。
【０００９】
請求項３に記載された発明に係るエマルジョン型接着剤用固化剤は、請求項１又は２に記載のコロイド粒子分散阻害剤が、硫酸アルミニウム、ポリ塩化アルミニウム、ポリ硫酸第二鉄を始めとする無機アルミ塩、及び／又は、塩化カルシウム、塩化マグネシウム、硫酸マグネシウムを始めとする多価金属塩であることを特徴とするものである。
【００１０】
請求項４に記載された発明に係るエマルジョン型接着剤用固化剤は、請求項１〜３の何れか１項に記載の吸液剤が、セピオライト、ゼオライト、アタパルジャイト、珪藻土、活性白土、ベントナイト、タルクを始めとする無機鉱物であることを特徴とすることを特徴とするものである。
【発明の効果】
【００１１】
本発明は、水を主溶媒とする水性系のエマルジョン型接着剤を廃棄するに際して、固化させることができる固化剤を得ることができるという効果がある。
【発明を実施するための形態】
【００１２】
本発明においては、床用接着剤等のエマルジョン型接着剤成分中のエマルジョン成分の分散を阻害するコロイド粒子分散阻害剤と、吸液性を有する吸液剤とを備えることにより、有機溶媒を含まない水性系のエマルジョン型接着剤を廃棄するに際して、固化させることができる。尚、水性床用接着剤としては、通常、ゴム系ラテックス型接着剤とアクリル樹脂系エマルション型接着剤という呼称が使われており、エマルション粒子がゴムの場合に「ラテックス」という呼称が使われており、本発明におけるエマルジョン型接着剤としては、これら両者を指す。
【００１３】
即ち、床用接着剤の主流となっているエマルジョン型接着剤は、接着成分が小滴状に他の液体の中に分散している。この小滴状に分散している液体を分散相、分散させているほうの液体を分散媒というが、乳濁液は放置すれば界面張力によりそれぞれの液体同士が凝集して２液層に分離するが、乳化剤と呼ばれる界面活性剤 (２液の界面に吸着する) を加えることにより安定に保存することができ、これをコロイド分散系という。
【００１４】
このコロイド分散系は、小滴状の接着剤粒子が荷電しており、この荷電状態を破棄することで分散していた接着粒子が凝集することとなる。このため、エマルジョン型接着剤成分中のエマルジョン成分の分散を阻害するコロイド粒子分散阻害剤によって、接着剤粒子の帯電を破棄させることにより、分散状態がなくなり、凝集する。接着剤粒子が凝集するため、他の液状成分と一緒に吸液することにより、固化される。固化されたエマルジョン型接着剤は、産業廃棄物として廃棄することができる。
【００１５】
特に、本発明のコロイド粒子分散阻害剤及び吸液剤は、無機系のものを用いる。これは、ポリアクリル酸ナトリウム系に代表される高吸水性樹脂（有機系吸液剤）は、コロイド粒子分散阻害剤として使用する多価の金属イオンを持つ無機塩の存在下では極端に吸液量が低下するためでもある。加えて、価格が無機系のものが圧倒的に安価であるからである。
【００１６】
本発明の好ましいコロイド粒子分散阻害剤としては、床用接着剤成分中のエマルジョン成分の分散を阻害するものであればよく、多価の金属イオンを有するものが挙げられる。具体的には、コロイド粒子分散阻害剤が、硫酸アルミニウム、ポリ塩化アルミニウム、ポリ硫酸第二鉄を始めとする無機アルミ塩、及び／又は、塩化カルシウム、塩化マグネシウム、硫酸マグネシウムを始めとする多価金属塩から選択される。
【００１７】
コロイド粒子分散阻害剤としての硫酸アルミニウムは、別名、硫酸バンドとも呼ばれる無機系凝集剤で、同様にポリ塩化アルミニウム（ＰＡＣ）、ポリ硫酸第二鉄も、床接着剤接着剤の主成分であるゴム系（ＳＢＲ）ラテックスやアクリル樹脂系エマルションの分散状態を凝集させる効果が高い。
【００１８】
また、同じくコロイド粒子分散阻害剤としての塩化カルシウムは、２価の金属イオンを持つ無機塩で、同様なものに塩化マグネシウム、硫酸マグネシウム等があり、凝集剤として効果がある。
【００１９】
本発明の好ましい吸液剤としては、エマルジョン成分が凝集した接着成分と、その他の分散媒の成分とを吸液させ、固化させる無機系のものであればよい。具体的には、セピオライト、ゼオライト、アタパルジャイト、珪藻土、活性白土、ベントナイト、タルクを始めとする吸液量が高い無機鉱物であるものが選択される。
【００２０】
本発明のエマルジョン型接着剤用固化剤としては、コロイド粒子分散阻害剤と吸液剤とを予め混合した一つの混合剤としてもよく、コロイド粒子分散阻害剤と吸液剤とを別々の製剤としてセットとして販売してもよい。一つの混合剤としては、コロイド粒子分散阻害剤を５重量部〜５０重量部とし、好ましくは、１５重量部〜４０重量部とする。また、吸液剤は、コロイド粒子分散阻害剤と合わせて１００重量部となるように、９５重量部〜５０重量部、好ましくは、８５重量部〜６０重量部とする。
【００２１】
また、コロイド粒子分散阻害剤と吸液剤とを別々の製剤としてセットとして販売する場合には、先ず、コロイド粒子分散阻害剤を固化するエマルジョン型接着剤に添加して混合し、コロイド状態が破棄された後に吸液剤を添加しつつ混合し、確実の固化するように吸液剤の投入を終了させればよい。
【実施例】
【００２２】
本発明のエマルジョン型接着剤用固化剤の一実施例は次の表１に示す通りである。表１に示した固化剤を床用接着剤等のエマルジョン型接着剤に５〜２５％程度添加することで、ペースト状のエマルジョン型接着剤を固化することが確認された。
【００２３】
【表１】
2018143952.tif 000002
【００２４】
コロイド粒子分散阻害剤によって、エマルジョン型接着剤特有の粘着性を消すことができ、吸液剤により、固化物としてエマルジョン型接着剤の容器から掻き出しやすくなった。掻き出した固化物については、ペースト（液体）ではなく、固化物なので、廃棄処理しやすくなることが確認された。
【００２５】
このエマルジョン型接着剤用固化剤によって、床用接着剤等のエマルジョン型接着剤の容器から固化物として内容物を取り出すことが可能となり、新築工事やリフォーム工事の際に廃材ラックに廃棄することができ、廃材ラックから水性系の接着剤が流出して、設置場所等を汚す弊害もなくなる。
【００２６】
また、内容物が固化物として取り出せるため、容器（廃プラ・金属）のリサイクルも容易となる。
【産業上の利用可能性】
【００２７】
完全に使用できずに余ったペースト状のエマルジョン型接着剤の処理に対しても、本発明の固化剤を添加して混合することにより、固化物とすることができ、廃棄処理が容易となる。